(57)【特許請求の範囲】
【請求項１】
画像データを書き込んだ後読み出す第１のメモリと、
前記第１のメモリの書き込みと読み出しに同期して音声データを書き込んだ後読み出す第２のメモリと、
前記第１及び第２のメモリのアドレスを生成する第１及び第２のアドレス生成回路と、
前記画像データのフレームの先頭を検出して、該画像データのフレームの先頭が前記第１のメモリに書き込まれるときにおける、前記第１のメモリの第１のスタートアドレス及び前記第２のメモリの第２のスタートアドレスをそれぞれ記憶する第１の記憶手段と、
前記第１の記憶手段に記憶された第１及び第２のスタートアドレスがシフトされて入力され、前フレームのスタートアドレスとしてそれぞれ記憶する第２の記憶手段と、
前記第１のメモリから読み出された画像データを複数のフレーム単位で圧縮符号化して圧縮画像信号を出力する第１の圧縮処理回路と、
前記第２のメモリから読み出された音声データを圧縮符号化して圧縮音声信号を出力する第２の圧縮処理回路と、
装置に入力された前記音声データをそのまま通過させた通過音声データと、前記第２のメモリから読み出した音声データと装置入力音声データとを混合した混合音声データとのうちのいずれか一方を前記第２のメモリに出力する混合手段と、
前記画像データから分離した同期信号と前記同期信号に位相合わせを行った同期パルスとの同期状態が同期一致状態から同期不一致状態へと移行したことを示す第１の検出がなされた際に、前記第１及び第２のアドレス生成回路のアドレス歩進と前記第１及び第２の圧縮処理回路の圧縮処理動作をそれぞれ一時停止させ、前記同期信号と前記同期パルスとの同期再一致を示す第２の検出がなされた際に、前記第１及び第２のアドレス生成回路のアドレス歩進を前記第１又は第２の記憶手段により記憶されているスタートアドレスから再開させて新たな画像データのフレームの先頭から前記第１のメモリへの書き込みを開始させ、かつ、前記第２のメモリのメモリアドレスが規定値に達するまで前記混合手段に前記混合音声データを出力させることで前記混合手段からの前記混合音声データの前記第２のメモリへの書き込みを再開させると共に、前記第１及び第２の圧縮処理回路の圧縮処理動作を再開させる制御手段と
を有することを特徴とする情報圧縮装置。
【請求項２】
画像データを書き込んだ後読み出す第１のメモリと、
前記第１のメモリの書き込みと読み出しに同期して音声データを書き込んだ後読み出す第２のメモリと、
前記第１及び第２のメモリのアドレスを生成する第１及び第２のアドレス生成回路と、
前記画像データのフレームの先頭を検出して、該画像データのフレームの先頭が前記第１のメモリに書き込まれるときにおける、前記第１のメモリの第１のスタートアドレス及び前記第２のメモリの第２のスタートアドレスをそれぞれ記憶する第１の記憶手段と、
前記第１の記憶手段に記憶された第１及び第２のスタートアドレスがシフトされて入力され、前フレームのスタートアドレスとしてそれぞれ記憶する第２の記憶手段と、
前記第１のメモリから読み出された画像データを複数のフレーム単位で圧縮符号化して圧縮画像信号を出力する第１の圧縮処理回路と、
前記第２のメモリから読み出された音声データを圧縮符号化して圧縮音声信号を出力する第２の圧縮処理回路と、
装置に入力された前記音声データをそのまま通過させた通過音声データと、前記第２のメモリから読み出した音声データと装置入力音声データとを混合した混合音声データとのうちのいずれか一方を前記第２のメモリに出力する混合手段と、
エンコードポーズボタンのオンを示す第１の検出がなされた際に、前記第１及び第２のアドレス生成回路のアドレス歩進と前記第１及び第２の圧縮処理回路の圧縮処理動作をそれぞれ一時停止させ、前記エンコードポーズボタンの解除を示す第２の検出がなされた際に、前記第１及び第２のアドレス生成回路のアドレス歩進を前記第１又は第２の記憶手段により記憶されているスタートアドレスから再開させて新たな画像データのフレームの先頭から前記第１のメモリへの書き込みを開始させ、かつ、前記第２のメモリのメモリアドレスが規定値に達するまで前記混合手段に前記混合音声データを出力させることで前記混合手段からの前記混合音声データの前記第２のメモリへの書き込みを再開させると共に、前記第１及び第２の圧縮処理回路の圧縮処理動作を再開させる制御手段と
を有することを特徴とする情報圧縮装置。
【請求項３】
前記規定値は、前記混合手段が混合動作を行うに要する最低限の音声データ量が前記第２のメモリに格納されたときの該第２のメモリのメモリアドレスであり、前記制御手段は、前記第１の検出がなされた際の前記第２のメモリのメモリアドレスが該規定値以上であるときは、前記第２の検出がなされた際に、前記第２のアドレス生成回路のアドレス歩進を前記第１の記憶手段により記憶されているスタートアドレスから再開させ、前記第１の検出がなされた際の前記第２のメモリのメモリアドレスが前記規定値未満であるときは、前記第２の検出がなされた際に、前記第２のアドレス生成回路のアドレス歩進を前記第２の記憶手段により記憶されているスタートアドレスから再開させることを特徴とする請求項１又は２に記載の情報圧縮装置。
【請求項４】
前記制御手段は、前記第２の検出がなされたときは、前記第２のメモリのメモリアドレスがフレームのスタートアドレスから前記規定値に達するまでの期間は、装置に入力された前記音声データがフェードインされ、かつ、前記第２のメモリから読み出された音声データがフェードアウトされた前記混合音声データが取り出されるように前記混合手段を制御し、前記第２のメモリのメモリアドレスが前記規定値を越えた後は前記通過音声データが前記混合手段から取り出されるように該混合手段を制御することを特徴とする請求項３記載の情報圧縮装置。
【請求項５】
画像データを書き込んだ後読み出す第１のメモリと、
前記第１のメモリの書き込みと読み出しに同期して音声データを書き込んだ後読み出す第２のメモリと、
前記第１及び第２のメモリのアドレスを生成する第１及び第２のアドレス生成回路と、
前記画像データのフレームの先頭を検出して、該画像データのフレームの先頭が前記第１のメモリに書き込まれるときにおける、前記第１のメモリの第１のスタートアドレス及び前記第２のメモリの第２のスタートアドレスをそれぞれ記憶する第１の記憶手段と、
前記第１の記憶手段に記憶された第１及び第２のスタートアドレスがシフトされて入力され、前フレームのスタートアドレスとしてそれぞれ記憶する第２の記憶手段と、
前記第１のメモリから読み出された画像データを複数のフレーム単位で圧縮符号化して圧縮画像信号を出力する第１の圧縮処理回路と、
前記第２のメモリから読み出された音声データを圧縮符号化して圧縮音声信号を出力する第２の圧縮処理回路と、
装置に入力された前記音声データを遮断し、かつ、前記第２のメモリから読み出した音声データをフェードアウトして該第２のメモリに出力するフェードアウト動作と、前記第２のメモリから読み出した音声データを遮断し、かつ、装置に入力された前記音声データをフェードインして該第２のメモリに出力するフェードイン動作とを行うことにより得たレベル制御データを前記第２のメモリに出力するレベル制御手段と、
前記画像データから分離した同期信号と前記同期信号に位相合わせを行った同期パルスとの同期状態が同期一致状態から同期不一致状態へと移行したことを示す第１の検出がなされた際に、前記第１及び第２のアドレス生成回路のアドレス歩進と前記第１及び第２の圧縮処理回路の圧縮処理動作をそれぞれ一時停止させ、前記同期信号と前記同期パルスとの同期再一致を示す第２の検出がなされた際に、前記第１及び第２のアドレス生成回路のアドレス歩進を前記第１又は第２の記憶手段により記憶されているスタートアドレスから再開させて新たな画像データのフレームの先頭から前記第１のメモリへの書き込みを開始させ、かつ、前記第２のメモリのメモリアドレスが規定値に達するまでの期間は前記レベル制御手段による前記フェードアウト動作を実行させる一方、前記第２のメモリのメモリアドレスが前記規定値以降になった際は、前記レベル制御手段による前記フェードアウト動作を実行させることで得た前記レベル制御データの前記第２のメモリへの書き込みを再開させると共に、前記第１及び第２の圧縮処理回路の圧縮処理動作を再開させる制御手段と
を有することを特徴とする情報圧縮装置。
【請求項６】
画像データを書き込んだ後読み出す第１のメモリと、
前記第１のメモリの書き込みと読み出しに同期して音声データを書き込んだ後読み出す第２のメモリと、
前記第１及び第２のメモリのアドレスを生成する第１及び第２のアドレス生成回路と、
前記画像データのフレームの先頭を検出して、該画像データのフレームの先頭が前記第１のメモリに書き込まれるときにおける、前記第１のメモリの第１のスタートアドレス及び前記第２のメモリの第２のスタートアドレスをそれぞれ記憶する第１の記憶手段と、
前記第１の記憶手段に記憶された第１及び第２のスタートアドレスがシフトされて入力され、前フレームのスタートアドレスとしてそれぞれ記憶する第２の記憶手段と、
前記第１のメモリから読み出された画像データを複数のフレーム単位で圧縮符号化して圧縮画像信号を出力する第１の圧縮処理回路と、
前記第２のメモリから読み出された音声データを圧縮符号化して圧縮音声信号を出力する第２の圧縮処理回路と、
装置に入力された前記音声データを遮断し、かつ、前記第２のメモリから読み出した音声データをフェードアウトして該第２のメモリに出力するフェードアウト動作と、前記第２のメモリから読み出した音声データを遮断し、かつ、装置に入力された前記音声データをフェードインして該第２のメモリに出力するフェードイン動作とを行うことにより得たレベル制御データを前記第２のメモリに出力するレベル制御手段と、
エンコードポーズボタンのオンを示す第１の検出がなされた際に、前記第１及び第２のアドレス生成回路のアドレス歩進と前記第１及び第２の圧縮処理回路の圧縮処理動作をそれぞれ一時停止させ、前記エンコードポーズボタンの解除を示す第２の検出がなされた際に、前記第１及び第２のアドレス生成回路のアドレス歩進を前記第１又は第２の記憶手段により記憶されているスタートアドレスから再開させて新たな画像データのフレームの先頭から前記第１のメモリへの書き込みを開始させ、かつ、前記第２のメモリのメモリアドレスが規定値に達するまでの期間は前記レベル制御手段による前記フェードアウト動作を実行させる一方、前記第２のメモリのメモリアドレスが前記規定値以降になった際は、前記レベル制御手段による前記フェードアウト動作を実行させることで得た前記レベル制御データの前記第２のメモリへの書き込みを再開させると共に、前記第１及び第２の圧縮処理回路の圧縮処理動作を再開させる制御手段と
を有することを特徴とする情報圧縮装置。
【請求項７】
前記圧縮処理回路は、前記メモリから読み出された画像データに対して所定のＧＯＰシーケンスを有するＭＰＥＧ方式の圧縮符号化を施し、前記圧縮処理動作の一時停止から再開にかけて、圧縮符号化された前記符号化データにおける前記ＧＯＰシーケンスが保たれることを特徴とする請求項４、５又は６に記載の情報圧縮装置。
【発明の詳細な説明】
【０００１】
【発明の属する技術分野】
本発明は情報圧縮装置に係り、特に入力画像信号及び音声信号をフレーム単位又はフィールド単位で圧縮符号化する情報圧縮装置に関する。
【０００２】
【従来の技術】
通信、放送、蓄積メディアなどの各分野において、限られた伝送帯域の伝送路を通して、できるだけ多くの情報量の情報信号を伝送するには、情報信号を圧縮する技術が極めて重要であり、従来より情報圧縮技術は種々提案されている。なかでも代表的な情報圧縮技術は、画像信号や音声信号などに対して高能率圧縮符号化を行う国際動画像符号化標準であるＭＰＥＧ（Ｍｏｖｉｎｇ  Ｐｉｃｔｕｒｅ  Ｅｘｐｅｒｔｓ  Ｇｒｏｕｐ）による情報圧縮技術である。
【０００３】
かかるＭＰＥＧ方式の情報圧縮装置では、圧縮動作を複数のフレーム単位で行っており、通常符号量制御もいわゆるＧＯＰ（グループ・オブ・ピクチャ）と呼ばれる複数のフレーム単位で行っており、処理がこのＧＯＰ単位となっている。図４はこのＧＯＰ構成の一例を示す。同図において、ＩはＩピクチャ、ＢはＢピクチャ、ＰはＰピクチャを示し、添字はＧＯＰでの順番を示し、矢印は予測方向を示す。
【０００４】
周知のように、Ｉピクチャは１画面の画像情報を原画像と同じ順序で圧縮符号化したイントラ符号化画像（フレーム内符号化画像）であり、Ｐピクチャはフレーム間の画像情報を原画像と同じ順序で圧縮したフレーム間順方向予測符号化画像である。また、Ｂピクチャは、ＩピクチャとＰピクチャを先に処理した後でその間に挿入される双方向予測符号化画像である。１つのＧＯＰは、一つのＩピクチャとそれぞれ一又は二以上のＰピクチャ及びＢピクチャからなる。
【０００５】
上記の従来の情報圧縮装置において、ＧＯＰを構成するフレーム数（ピクチャ数）が多ければ、同符号量の画質が向上するが、処理単位が大きくなり、編集できる単位も大きくなり、記録再生装置に適用した場合は、記録媒体の任意の位置での記録ポーズが困難となる。一方、ＧＯＰを構成するフレーム数（ピクチャ数）を少なくすると（例えば１フレーム）、編集単位は小となり記録ポーズはすべての画面で可能となるが、同符号量での画質が劣化する。
【０００６】
また、ＭＰＥＧ方式の圧縮符号化データにエンコードされる画像信号は、エンコード前に編集された信号若しくは編集ポイントが指定された信号である必要があり、作業性が悪い。例えば、図４のＧＯＰ内のピクチャＰ０１で画像が途切れたとすると、次のエンコードはまたＩピクチャから始めなければならないからである。更に、従来装置では、エンコード前に編集を行うため、あるいは編集ポイントを指定するために大容量のメモリが必要であるという問題もある。
【０００７】
そこで、本発明者は、前置メモリを用いた方式での情報圧縮装置について先に提案した（特願平１０−２３４６３６号、特願平１０−２３４６３８号）。特願平１０−２３４６３６号にて提案した情報圧縮装置は、情報信号の不連続を検出したときに、情報信号を記憶するメモリへアドレス信号を供給するアドレス生成回路の歩進と、メモリから読み出された情報信号を所定の方式で圧縮符号化して符号化データを出力する圧縮処理回路の圧縮処理動作をそれぞれ停止し、情報信号が正常に復帰した場合は、アドレス生成回路のアドレス歩進を、情報信号のフレームの先頭のメモリアドレスに戻ってそこから開始させ、情報信号のフレームの先頭からメモリへの書き込みを開始させると共に、圧縮処理回路の圧縮処理動作を開始させることにより、メモリに格納された、フレームの途中で不連続となった情報信号を、以後正常に復帰した情報信号のフレームの最初から書き換える構成である。
【０００８】
一方、特願平１０−２３４６３８号公報にて提案して情報圧縮装置は、情報信号の不連続を検出したときに、情報信号を記憶するメモリへアドレス信号を供給するアドレス生成手段の歩進を停止すると共にピクセルアドレスのみ初期値に戻し、かつ、メモリから読み出された情報信号を所定の方式で圧縮符号化して符号化データを出力する圧縮処理回路の圧縮処理動作を停止し、情報信号が正常に復帰した場合は、アドレス生成手段のアドレス歩進を、フレームの先頭のメモリアドレスから開始させ、情報信号のフレームの先頭からメモリへの書き込みを開始させると共に、圧縮処理回路の圧縮処理動作を開始させることにより、メモリに格納された、フレームの途中で不連続となった情報信号を、以後正常に復帰した情報信号のフレームの最初から書き換え、また、この正常に復帰した情報信号のフレームの最初から読み出されて圧縮処理回路に入力され、圧縮動作停止時と同じフレームシーケンスを維持した状態で圧縮符号化する構成である。
【０００９】
いずれの提案の情報圧縮装置も、圧縮符号化データのフレームシーケンスを変えることなく、その後の正常復帰した情報信号を圧縮符号化でき、エンコード前の編集や編集ポイントの指定を行うことなく、連続して情報圧縮ができるという特長を有する。また、エンコードポーズボタンによりエンコードの動作の停止と停止解除ができるように構成することで、編集された素材を記憶するためのメモリを必要とせず、装置を安価に構成できる。
【００１０】
【発明が解決しようとする課題】
しかるに、上記の本発明者の提案になる情報圧縮装置では、画像信号の圧縮と同様に、音声信号の圧縮もすることが可能ではあるが、画像信号と同様に音声信号もただフレーム単位で圧縮したのでは、圧縮動作停止解除時点である編集点の前後での音声サンプルのレベル差により、クリック音等が発生してしまう。
【００１１】
本発明は、上記の点に鑑みなされたもので、フレーム単位あるいはフィールド単位での圧縮の際に、編集点でのクリック音の発生を低減し得る情報圧縮装置を提供することを目的とする。
【００１２】
【課題を解決するための手段】
上記の目的を達成するため、本発明は画像データを書き込んだ後読み出す第１のメモリと、第１のメモリの書き込みと読み出しに同期して音声データを書き込んだ後読み出す第２のメモリと、第１及び第２のメモリのアドレスを生成する第１及び第２のアドレス生成回路と、画像データのフレームの先頭を検出して、画像データのフレームの先頭が第１のメモリに書き込まれるときにおける、第１のメモリの第１のスタートアドレス及び第２のメモリの第２のスタートアドレスをそれぞれ記憶する第１の記憶手段と、第１の記憶手段に記憶された第１及び第２のスタートアドレスがシフトされて入力され、前フレームのスタートアドレスとしてそれぞれ記憶する第２の記憶手段と、第１のメモリから読み出された画像データを複数のフレーム単位で圧縮符号化して圧縮画像信号を出力する第１の圧縮処理回路と、第２のメモリから読み出された音声データを圧縮符号化して圧縮音声信号を出力する第２の圧縮処理回路と、装置に入力された音声データをそのまま通過させた通過音声データと、第２のメモリから読み出した音声データと装置入力音声データとを混合した混合音声データとのうちのいずれか一方を第２のメモリに出力する混合手段と、画像データから分離した同期信号と同期信号に位相合わせを行った同期パルスとの同期状態が同期一致状態から同期不一致状態へと移行したことを示す第１の検出がなされた際に、第１及び第２のアドレス生成回路のアドレス歩進と第１及び第２の圧縮処理回路の圧縮処理動作をそれぞれ一時停止させ、同期信号と同期パルスとの同期再一致を示す第２の検出がなされた際に、第１及び第２のアドレス生成回路のアドレス歩進を第１又は第２の記憶手段により記憶されているスタートアドレスから再開させて新たな画像データのフレームの先頭から第１のメモリへの書き込みを開始させ、かつ、第２のメモリのメモリアドレスが規定値に達するまで混合手段に混合音声データを出力させることで混合手段からの混合音声データの第２のメモリへの書き込みを再開させると共に、第１及び第２の圧縮処理回路の圧縮処理動作を再開させる制御手段とを有する構成としたものである。
【００１３】
また、本発明は画像データを書き込んだ後読み出す第１のメモリと、第１のメモリの書き込みと読み出しに同期して音声データを書き込んだ後読み出す第２のメモリと、第１及び第２のメモリのアドレスを生成する第１及び第２のアドレス生成回路と、画像データのフレームの先頭を検出して、該画像データのフレームの先頭が前記第１のメモリに書き込まれるときにおける、第１のメモリの第１のスタートアドレス及び第２のメモリの第２のスタートアドレスをそれぞれ記憶する第１の記憶手段と、第１の記憶手段に記憶された第１及び第２のスタートアドレスがシフトされて入力され、前フレームのスタートアドレスとしてそれぞれ記憶する第２の記憶手段と、第１のメモリから読み出された画像データを複数のフレーム単位で圧縮符号化して圧縮画像信号を出力する第１の圧縮処理回路と、第２のメモリから読み出された音声データを圧縮符号化して圧縮音声信号を出力する第２の圧縮処理回路と、装置に入力された音声データをそのまま通過させた通過音声データと、第２のメモリから読み出した音声データと装置入力音声データとを混合した混合音声データとのうちのいずれか一方を第２のメモリに出力する混合手段と、エンコードポーズボタンのオンを示す第１の検出がなされた際に、第１及び第２のアドレス生成回路のアドレス歩進と第１及び第２の圧縮処理回路の圧縮処理動作をそれぞれ一時停止させ、エンコードポーズボタンの解除を示す第２の検出がなされた際に、第１及び第２のアドレス生成回路のアドレス歩進を第１又は第２の記憶手段により記憶されているスタートアドレスから再開させて新たな画像データのフレームの先頭から第１のメモリへの書き込みを開始させ、かつ、第２のメモリのメモリアドレスが規定値に達するまで混合手段に混合音声データを出力させることで混合手段からの混合音声データの第２のメモリへの書き込みを再開させると共に、第１及び第２の圧縮処理回路の圧縮処理動作を再開させる制御手段とを有することを特徴とするものである。
【００１４】
ここで、上記の規定値は、混合手段が混合動作を行うに要する最低限の音声データ量が第２のメモリに格納されたときの第２のメモリのメモリアドレスであり、上記の制御手段は、第１の検出がなされた際の第２のメモリのメモリアドレスが規定値以上であるときは、第２の検出がなされた際に、第２のアドレス生成回路のアドレス歩進を第１の記憶手段により記憶されているスタートアドレスから再開させ、第１の検出がなされた際の第２のメモリのメモリアドレスが規定値未満であるときは、第２の検出がなされた際に、第２のアドレス生成回路のアドレス歩進を第２の記憶手段により記憶されているスタートアドレスから再開させることを特徴とする。
また、上記の制御手段は、第２の検出がなされたときは、第２のメモリのメモリアドレスがフレームのスタートアドレスから規定値に達するまでの期間は、装置に入力された音声データがフェードインされ、かつ、第２のメモリから読み出された音声データがフェードアウトされた混合音声データが取り出されるように混合手段を制御し、第２のメモリのメモリアドレスが規定値を越えた後は通過音声データが混合手段から取り出されるように該混合手段を制御することを特徴とする。
また、上記の圧縮処理回路は、メモリから読み出された画像データに対して所定のＧＯＰシーケンスを有するＭＰＥＧ方式の圧縮符号化を施し、圧縮処理動作の一時停止から再開にかけて、圧縮符号化された前記符号化データにおけるＧＯＰシーケンスが保たれることを特徴とする。
【００１５】
また、本発明は画像データを書き込んだ後読み出す第１のメモリと、第１のメモリの書き込みと読み出しに同期して音声データを書き込んだ後読み出す第２のメモリと、第１及び第２のメモリのアドレスを生成する第１及び第２のアドレス生成回路と、画像データのフレームの先頭を検出して、該画像データのフレームの先頭が第１のメモリに書き込まれるときにおける、第１のメモリの第１のスタートアドレス及び第２のメモリの第２のスタートアドレスをそれぞれ記憶する第１の記憶手段と、第１の記憶手段に記憶された第１及び第２のスタートアドレスがシフトされて入力され、前フレームのスタートアドレスとしてそれぞれ記憶する第２の記憶手段と、第１のメモリから読み出された画像データを複数のフレーム単位で圧縮符号化して圧縮画像信号を出力する第１の圧縮処理回路と、第２のメモリから読み出された音声データを圧縮符号化して圧縮音声信号を出力する第２の圧縮処理回路と、装置に入力された音声データを遮断し、かつ、第２のメモリから読み出した音声データをフェードアウトして該第２のメモリに出力するフェードアウト動作と、第２のメモリから読み出した音声データを遮断し、かつ、装置に入力された音声データをフェードインして該第２のメモリに出力するフェードイン動作とを行うことにより得たレベル制御データを第２のメモリに出力するレベル制御手段と、画像データから分離した同期信号と同期信号に位相合わせを行った同期パルスとの同期状態が同期一致状態から同期不一致状態へと移行したことを示す第１の検出がなされた際に、第１及び第２のアドレス生成回路のアドレス歩進と第１及び第２の圧縮処理回路の圧縮処理動作をそれぞれ一時停止させ、同期信号と同期パルスとの同期再一致を示す第２の検出がなされた際に、第１及び第２のアドレス生成回路のアドレス歩進を第１又は第２の記憶手段により記憶されているスタートアドレスから再開させて新たな画像データのフレームの先頭から第１のメモリへの書き込みを開始させ、かつ、第２のメモリのメモリアドレスが規定値に達するまでの期間はレベル制御手段によるフェードアウト動作を実行させる一方、第２のメモリのメモリアドレスが規定値以降になった際は、レベル制御手段による前記フェードアウト動作を実行させることで得た前記レベル制御データの前記第２のメモリへの書き込みを再開させると共に、第１及び第２の圧縮処理回路の圧縮処理動作を再開させる制御手段とを有することを特徴とする。
また、上記の圧縮処理回路は、メモリから読み出された画像データに対して所定のＧＯＰシーケンスを有するＭＰＥＧ方式の圧縮符号化を施し、圧縮処理動作の一時停止から再開にかけて、圧縮符号化された前記符号化データにおけるＧＯＰシーケンスが保たれることを特徴とする。
【００１６】
また、本発明は画像データを書き込んだ後読み出す第１のメモリと、第１のメモリの書き込みと読み出しに同期して音声データを書き込んだ後読み出す第２のメモリと、第１及び第２のメモリのアドレスを生成する第１及び第２のアドレス生成回路と、画像データのフレームの先頭を検出して、該画像データのフレームの先頭が第１のメモリに書き込まれるときにおける、第１のメモリの第１のスタートアドレス及び第２のメモリの第２のスタートアドレスをそれぞれ記憶する第１の記憶手段と、第１の記憶手段に記憶された第１及び第２のスタートアドレスがシフトされて入力され、前フレームのスタートアドレスとしてそれぞれ記憶する第２の記憶手段と、第１のメモリから読み出された画像データを複数のフレーム単位で圧縮符号化して圧縮画像信号を出力する第１の圧縮処理回路と、第２のメモリから読み出された音声データを圧縮符号化して圧縮音声信号を出力する第２の圧縮処理回路と、装置に入力された音声データを遮断し、かつ、第２のメモリから読み出した音声データをフェードアウトして該第２のメモリに出力するフェードアウト動作と、第２のメモリから読み出した音声データを遮断し、かつ、装置に入力された音声データをフェードインして該第２のメモリに出力するフェードイン動作とを行うことにより得たレベル制御データを第２のメモリに出力するレベル制御手段と、エンコードポーズボタンのオンを示す第１の検出がなされた際に、第１及び第２のアドレス生成回路のアドレス歩進と第１及び第２の圧縮処理回路の圧縮処理動作をそれぞれ一時停止させ、エンコードポーズボタンの解除を示す第２の検出がなされた際に、第１及び第２のアドレス生成回路のアドレス歩進を第１又は第２の記憶手段により記憶されているスタートアドレスから再開させて新たな画像データのフレームの先頭から第１のメモリへの書き込みを開始させ、かつ、第２のメモリのメモリアドレスが規定値に達するまでの期間はレベル制御手段によるフェードアウト動作を実行させる一方、第２のメモリのメモリアドレスが規定値以降になった際は、レベル制御手段による前記フェードアウト動作を実行させることで得た前記レベル制御データの前記第２のメモリへの書き込みを再開させると共に、第１及び第２の圧縮処理回路の圧縮処理動作を再開させる制御手段とを有することを特徴とする。
また、上記の圧縮処理回路は、メモリから読み出された画像データに対して所定のＧＯＰシーケンスを有するＭＰＥＧ方式の圧縮符号化を施し、圧縮処理動作の一時停止から再開にかけて、圧縮符号化された符号化データにおけるＧＯＰシーケンスが保たれることを特徴とする。
【００１７】
【発明の実施の形態】
次に、本発明の一実施の形態について図面と共に説明する。図１は本発明になる情報圧縮装置の一実施の形態のブロック図を示す。同図において、入力端子１０を介して入力された画像信号は、同期分離回路１１に入力されて複合同期信号、すなわち水平同期信号（Ｈ．ＳＹＮＣ）と垂直同期信号（Ｖ．ＳＹＮＣ）が分離される一方、低域フィルタ（ＬＰＦ）１２に入力されて不要高周波数成分が除去されてＡ／Ｄ変換器１３に供給され、ここで画像用サンプリングクロックｆＳＶに基づいてディジタル画像信号（画像データ）に変換される。
【００１８】
一方、前記入力端子１０への画像信号の入力と並行して入力端子２２を介して音声信号が低域フィルタ（ＬＰＦ）２３に供給され、ここで不要高周波数成分が除去された後Ａ／Ｄ変換器２４に供給され、ここで音声用サンプリングクロックｆＳＡに基づいてディジタル音声信号（音声データ）に変換される。
【００１９】
同期分離回路１１により分離された水平同期信号と垂直同期信号は、それぞれＰＬＬ（Ｐｈａｓｅ  Ｌｏｃｋｅｄ  Ｌｏｏｐ：位相同期ループ）回路１４に供給されて、入力端子１０の入力映像信号の最高周波数よりも２倍以上の高周波数で、かつ、同期信号に位相同期した、画像用サンプリングクロックｆＳＶを生成させると共に、入力音声信号の最高周波数よりも２倍以上の高周波数で、かつ、同期信号に位相同期した、音声用サンプリングクロックｆＳＡを生成させる。画像用サンプリングクロックｆＳＶは、Ａ／Ｄ変換器１３、アドレスラッチ１６、１７及びアドレス生成回路１８にそれぞれ供給される。一方、音声用サンプリングクロックｆＳＡは、Ａ／Ｄ変換器２４、アドレスラッチ２６、２７及びアドレス生成回路２８にそれぞれ供給される。
【００２０】
また、これと同時に、ＰＬＬ回路１４は、入力水平同期信号に位相同期した、水平走査周波数のＨパルスと、入力垂直同期信号に位相同期した、垂直走査周波数のＶパルスを生成する。上記のＨパルスとＶパルスは、それぞれ上記の同期分離回路１１から出力された水平同期信号（Ｈ．ＳＹＮＣ）と垂直同期信号（Ｖ．ＳＹＮＣ）と共に不連続検出／制御回路１５に供給される。
【００２１】
ここで、同期分離回路１１から出力される水平同期信号とＰＬＬ回路１４から取り出されるＨパルスや、同期分離回路１１から出力される垂直同期信号とＰＬＬ回路１４から取り出されるＶパルスとは、通常はそれぞれ同一位相であるが、例えば入力画像信号のチャンネルが変わった時などでは、同期分離回路１１から出力される水平同期信号及び垂直同期信号がそれまでの信号と異なるため、周期性が乱される（不連続になる）。
【００２２】
これに対し、ＰＬＬ回路１４から取り出されるＨパルスとＶパルスは、入力画像信号の不連続が発生しても、不連続期間が短期間であれば、不連続発生以前の入力画像信号の水平同期信号と垂直同期信号に慣性を持って位相がロックして取り出される。従って、不連続検出／制御回路１５は水平同期信号とＨパルス、垂直同期信号とＶパルスをそれぞれ位相比較することで（あるいは、水平同期信号、垂直同期信号をＨパルス、Ｖパルスでラッチすることで）、入力画像信号が不連続となったかどうかを監視することができる。
【００２３】
また、不連続検出／制御回路１５は、ＨパルスとＶパルスに基づいて画像の有効エリアを決定し、メモリ１９、２９のメモリアドレスを歩進させるためのイネーブル信号を生成してアドレス生成回路１８及び２８に供給する。アドレス生成回路１８は画像用サンプリングクロックｆＳＶをカウントしてメモリ１９のメモリアドレスを生成しており、また、アドレス生成回路２８は音声用サンプリングクロックｆＳＡをカウントしてメモリ２９のメモリアドレスを生成している。
【００２４】
不連続検出／制御回路１５は、後述する図２の判定回路を一部に有しており、また垂直同期信号、水平同期信号、Ｖパルス、Ｈパルス等に基づき、入力画像信号のフレームの先頭位置を検出してロード信号を生成し、そのロード信号をアドレスラッチ１６、１７、２６及び２７にそれぞれ供給する。すなわち、不連続検出／制御回路１５は、入力画像信号が不連続でないときは、ＨパルスとＶパルスに基づき決定した有効エリアのサンプル数のカウントが終ると、アドレスラッチ１７、２７にアドレス生成回路１８、２８のアドレス値を、これからメモリ１９、２９に書き込むフレームのスタートアドレスとしてロードする。これと同時に、それまでアドレスラッチ１７、２７にラッチされていた、メモリ１９、２９に書き込まれたフレームのスタートアドレスがアドレスラッチ１６、２６にシフトされる。以下、上記と同様の動作がフレーム単位で繰り返される。
【００２５】
ＰＬＬ回路１４からのサンプリングクロックｆＳＶに同期してアナログ・ディジタル変換を行うＡ／Ｄ変換器１３から取り出された画像データは、メモリ１９に供給され、入力画像信号が不連続でなく正常であるときは、アドレス生成回路１８からのメモリアドレスに従ったアドレスに記憶された後、読み出されて圧縮処理回路２０に供給され、前述したＭＰＥＧ方式に従った公知の圧縮符号化（エンコード）が行われる。
【００２６】
圧縮符号化された符号化画像データは、圧縮処理回路２０から取り出されてメモリ（前置メモリ）２１に供給されて蓄積される。このメモリ２１は、例えばハードディスク、光ディスクなどの記憶媒体であり、例えば１プログラム分の符号化画像データを蓄積した後、一定速度で読み出す。
【００２７】
一方、ＰＬＬ回路１４からのサンプリングクロックｆＳＡに同期してアナログ・ディジタル変換を行うＡ／Ｄ変換器２４から取り出された音声データは、クロスフェーダ２５に供給される。クロスフェーダ２５は、後述の不連続検出／制御回路１５の動作制御のもとに、入力画像信号が不連続でなく正常であるときは、Ａ／Ｄ変換器２４から入力された音声データに係数”１”を乗じ、かつ、メモリ２９から入力された音声データに係数”０”を乗じ、それらの乗算結果を加算してからメモリ２９に供給し、アドレス生成回路２８からのメモリアドレスに従ったアドレスに記憶される。
【００２８】
すなわち、入力画像信号が不連続でないときは、Ａ／Ｄ変換器２４の出力音声データはクロスフェーダ２５を実質的にスルーしてメモリ２９に書き込まれる。メモリ２９から読み出された音声データは、圧縮処理回路３０に供給され、前述したＭＰＥＧ方式に従った公知の圧縮符号化（エンコード）が行われる。圧縮符号化された符号化音声データは、圧縮処理回路３０から取り出されてメモリ３１に供給されて蓄積される。このメモリ３１は、例えばハードディスク、光ディスクなどの記憶媒体であり、例えば１プログラム分の符号化音声データを蓄積した後、一定速度で読み出す。
【００２９】
ここで、入力チャンネルが切り替えられるなどにより、入力画像信号に不連続が生じたものとすると、水平同期信号とＨパルス、垂直同期信号とＶパルスのそれぞれの位相比較結果が正常時に比し大きく変化する。例えば、図３にｔ１で示す時刻で入力画像信号の不連続が発生すると、同図（Ａ）に示す垂直同期信号（Ｖ．ＳＹＮＣ）と、同図（Ｂ）に示すＶパルスとの位相が異なる。
【００３０】
不連続検出／制御回路１５はこの位相変化を検出することで、入力画像信号の不連続を検出して図３（Ｄ）に示すハイレベルの不連続検出信号を発生し、この不連続検出信号をアドレス生成回路１８、２８にディセーブル信号として供給してアドレス生成動作を停止させる。これにより、アドレス生成回路１８、２８によるメモリアドレスの歩進を停止する。
【００３１】
このメモリアドレスの歩進の停止により、メモリ１９及び２９の書き込み動作が図３（Ｅ）に示すように停止する。また、これと同時に、不連続検出／制御回路１５は圧縮処理部２０及び３０へそれぞれ図３（Ｇ）に示すＨＡＬＴ信号（圧縮処理停止信号）を供給して圧縮動作を一時停止させる。なお、メモリ１９及び２９の読み出し動作は、Ｖパルスに同期してアドレス生成回路１８、２８からの読み出しアドレスの歩進が停止することで停止する（図３（Ｇ）の圧縮処理停止信号と同じタイミング）。
【００３２】
更に、不連続検出／制御回路１５は、入力画像信号の不連続検出時は、アドレスラッチ１６、１７、２６及び２７へのロードパルスは図３（Ｃ）に示すように出力せず、アドレスラッチ１６、２６には前フレームのメモリ１９、２９の書き込みスタートアドレスが保持されており、また、アドレスラッチ１７、２７には不連続検出フレームのメモリ１９、２９の書き込みスタートアドレスが保持された状態が維持されている。
【００３３】
この間中も、不連続検出／制御回路１５は水平同期信号とＨパルス、垂直同期信号とＶパルスをそれぞれ比較することで、入力画像信号が正常になったかどうかを監視している。そして、不連続検出／制御回路１５は、水平同期信号とＨパルス、垂直同期信号とＶパルスの同期がとれれば、入力画像信号が正常に復帰したと見なす。
【００３４】
この正常復帰が図３の時刻ｔ２で検出されたものとすると、不連続検出／制御回路１５は、不連続検出信号の出力と、アドレス生成回路１８、２８へのディセーブル信号の出力を、図３（Ｄ）、（Ｅ）に示すように解除し、更に図３（Ｆ）に示すように、アドレス生成回路１８、２８内の書き込みアドレスカウンタにロードパルスを出力して、前フレームのスタートアドレス又は不連続検出フレームのスタートアドレスを設定する。正常復帰時のスタートアドレスが前フレームのスタートアドレスと不連続検出フレームのスタートアドレスのどちらに設定されるかは、図２に回路図を示す判定回路により判定される不連続検出時点のメモリアドレスによって定まる。
【００３５】
すなわち、このことについて更に詳細に説明するに、不連続検出／制御回路１５は、図２の回路図の判定回路を内蔵している。同図において、判定回路は端子３４を介して入力されるクロックを計数し、端子３５を介して入力されるリセット信号によりリセットされるカウンタ３６と、カウンタ３６の例えば最上位ビットの計数出力端子とイネーブル端子との間に介挿されたインバータ３７と、カウンタ３６の最上位ビットの計数出力をラッチし、端子３５よりのリセット信号によりリセットされるＤ型フリップフロップ３８とより構成されている。
【００３６】
次に、この判定回路の動作について説明するに、カウンタ３６及びＤ型フリップフロップ３８は、不連続検出／制御回路１５が入力画像信号のフレームの先頭位置を検出した時に生成するロード信号がリセット信号として端子３５を介して入力されてリセットされる。そして、カウンタ３６は端子３４よりのクロックを計数していき、計数値が所定値に達すると、カウンタ３６の最上位ビットから第１の論理値（例えば”１”）の信号が出力される。この計数出力信号は、インバータ３７により第２の論理値（例えば”０”）に論理反転された後カウンタ３６のイネーブル端子に印加されて、カウンタ３６の計数動作を停止すると共に、Ｄ型フリップフロップ３８のデータ入力端子に入力されて、端子３４よりのクロックに同期してラッチされる。
【００３７】
従って、Ｄ型フリップフロップ３８のＱ出力端子から端子３９へ出力される信号は、図３（Ｈ）に示すＶパルスに同期してフレームの先頭位置を検出した時に生成されるリセット信号が端子３５に入力されたときは、図３（Ｊ）に示すように、論理値”０”であるが、カウンタ３６が所定の計数値に達すると論理値”１”に変化し、以後次のＶパルスに同期してリセット信号が端子３５に入力されるまでその状態が維持される。
【００３８】
ここで、上記の所定の計数値に達するまでの時間、すなわち、Ｄ型フリップフロップ３８のＱ出力信号が論理値”０”である期間は、図３（Ｉ）に模式的に示すように、図１に示したクロスフェーダ２５がクロスフェード動作を行うときに必要とする最低限の音声データ量がメモリ２９に格納されるのに要する時間である（最低限の音声データ量がメモリ２９に格納され終った時点のメモリ２９の書き込みメモリアドレスをアドレスの規定値というものとする）。
【００３９】
すなわち、上記の所定の計数値に達するまでの時間を経過した後では、クロスフェーダ２５がメモリ２９に記憶されている音声データを利用してクロスフェード動作が可能であるが、上記の所定の計数値に達しない時点では、クロスフェーダ２５がメモリ２９に記憶されている音声データを利用したクロスフェード動作ができない。
【００４０】
そこで、不連続検出／制御回路１５は、入力画像信号の不連続検出時点（図３の時刻ｔ１）における判定回路の出力端子３９の出力信号の論理値が”１”であれば上記の所定の計数値に達するまでの時間を経過しているから（メモリアドレスがアドレスの規定値以上であるから）、クロスフェーダ２５によるクロスフェーダ動作可能と判断して、正常復帰時のメモリ１９、２９の書き込みスタートアドレスをアドレスラッチ１７、２７に格納されている不連続検出フレームのスタートアドレスに設定する。
【００４１】
他方、入力画像信号の不連続検出時点（図３の時刻ｔ１）における判定回路の出力端子３９の出力信号の論理値が”０”であれば上記の所定の計数値に達するまでの時間経過していないから（メモリアドレスがアドレスの規定値未満であるから）、クロスフェーダ２５によるクロスフェーダ動作不可能と判断して、正常復帰時のメモリ１９、２９の書き込みスタートアドレスをアドレスラッチ１６、２６に格納されている不連続検出フレームの前フレームのスタートアドレスに設定する。
【００４２】
その後、正常復帰検出後の入力画像信号の最初のフレームの先頭位置を検出した時点で、上記のフレームスタートアドレスに戻って、メモリ１９、２９への書き込みを再開すると共に、圧縮処理回路２０、３０へのＨＡＬＴ信号を解除し、メモリ１９から読み出した画像データに対する圧縮処理を圧縮動作停止直後の本来のシーケンスで再開させると共に、メモリ２９から読み出した音声データに対する圧縮処理も再開させる。
【００４３】
このとき、クロスフェーダ２５は、メモリ２９の書き込みアドレスがフレームスタートアドレスから前記アドレスの規定値までの間は、Ａ／Ｄ変換器２４よりの入力音声データとメモリ２９からの音声データとを加算混合すると共に、その混合比率がＡ／Ｄ変換器２４よりの入力音声データが徐々に大となり、かつ、メモリ２９からの音声データが徐々に小となるようにクロスフェード動作を行う。
【００４４】
つまり、メモリ２９の書き込みアドレスがフレームスタートアドレスから前記アドレスの規定値までの間は、Ａ／Ｄ変換器２４よりの入力音声データがクロスフェーダ２５からフェードインされて取り出され、かつ、メモリ２９からの音声データはフェードアウトされて取り出され、それらの混合音声データはメモリ２９からの音声データと同じアドレスに書き込まれる。メモリ２９の書き込みアドレスが前記アドレスの規定値以後のときは、正常時の動作で説明したように、クロスフェーダ２５からはＡ／Ｄ変換器２４の出力音声データのみが取り出されてメモリ２９に書き込まれる。
【００４５】
この結果、メモリ１９に格納された、フレームの途中で不連続となった画像データは、以後正常に復帰した画像データのフレームの最初から書き変わることとなり、また、この正常に復帰した画像データのフレームの最初から読み出されて圧縮処理回路２０に入力され、圧縮動作停止時と同じピクチャで、かつ、ＧＯＰのフレームシーケンスを維持した状態で圧縮符号化が行われる。これにより、適当なフレーム数のＧＯＰの構成で、すべての画面で記録ポーズをかけられ、しかも画質の劣化をもたらさない情報圧縮を実現できる。
【００４６】
また、メモリ２９に格納された、フレームの途中で不連続となった音声データは、フレームスタートアドレスから前記アドレスの規定値までの間は、クロスフェーダ２５によりクロスフェードされた音声データに書き変わり、以後正常に復帰した音声データに書き変わることとなるため、不連続点（又は編集点）でのクリック音の発生を大幅に低減できる。
【００４７】
なお、不連続検出／制御回路１５が検出する不連続点の発生原因は、上記の実施の形態ではチャンネルの切り換えを例に挙げたが、入力画像信号及び音声信号の遮断でもよいことは勿論である。これは、あるソース（画像・音声信号源）からの画像信号及び音声信号記録後に、別のソース（画像・音声信号源）からの画像信号及び音声信号を編集記録したりする場合などのときに生じる。
【００４８】
なお、本発明は上記の実施の形態に限定されるものではなく、例えば、メモリ２１の出力圧縮画像データ及びメモリ３１の出力圧縮音声データを記録媒体に記録する記録装置に適用してもよい。この場合、不連続検出／制御回路１５の不連続検出機能をエンコードポーズボタンに持たせることができる。すなわち、エンコードポーズボタンをユーザが任意のタイミングでオンしたときは、不連続として検出して前述したように、メモリ１９及び２９の書き込み動作と読み出し動作を停止し、かつ、圧縮処理部２０及び３０の圧縮動作を一時停止する。
【００４９】
その後、エンコードポーズボタンをユーザが任意のタイミングで解除したときは、正常復帰として検出し、その直後のフレーム先頭位置の画像データからメモリ１９、２９の不連続検出フレーム又はその前のフレームのスタートアドレスから書き込みを再開すると共に、圧縮処理回路２０、３０の圧縮動作を再開させる。この場合は、自由に入力画像信号をアッセンブル編集することがエンコード時に可能となり、作業性の向上や予め編集された素材の記憶装置を不要にできる。更に、エンコード終了ボタンをオンする（エンコードポーズボタンをオフする）ことにより、当該ＧＯＰの区切りでエンコードを終了する。
【００５０】
また、クロスフェーダ２５の代わりに、メモリアドレスの規定値までの入力を遮断し、かつ、メモリ出力をフェードアウトし、メモリアドレスの規定値以後の入力音声データをフェードインするようにしてもよい。
【００５１】
つまり、この場合は、メモリ２９の書き込みアドレスがフレームスタートアドレスからメモリアドレスの規定値（この規定値は上記の実施の形態の規定値とは同じ値でも異なる値でもよい）までの間は、Ａ／Ｄ変換器２４よりの入力音声データ（装置入力音声データ）がクロスフェーダ２５に代えて設けられた乗算器（レベル制御手段）の乗算係数が”０”とされることから、Ａ／Ｄ変換器２４からメモリ２９に入力される音声データが遮断され、かつ、メモリ２９の上記のメモリアドレス範囲からの音声データは上記の乗算器により漸次小となる乗算係数と乗算されることによりフェードアウトされてメモリ２９から読み出した時と同じアドレスに書き込まれる。メモリ２９の書き込みアドレスが規定値以後のときは、メモリ２９からメモリ２９へフィードバックされる音声データは遮断され、かつ、Ａ／Ｄ変換器２４の出力音声データのみが上記の乗算器によりフェードインされてからメモリ２９に書き込まれる。
【００５２】
また、入力画像信号及び音声信号は、不連続検出時点前は記録媒体からの再生信号、不連続検出以後を入力信号、または記録媒体からの別なところの再生信号とすることもできる。更に、以上の実施の形態では、フレーム単位でメモリに画像データ及び音声データをそれぞれ格納するように説明したが、フィールド単位でもよい。
【００５３】
【発明の効果】
以上説明したように、本発明によれば、第１及び第２のメモリに格納された、フレームの途中で不連続となった画像データ及び音声データを、新たな画像データ及び音声データのフレームの最初から書き換えるに際して、新たな音声データは第２のメモリから読み出された音声データと装置に入力される音声データとの混合音声データとされるため、第２のメモリのフレームスタートアドレスから読み出した音声データとその直前に読み出した音声データとのレベル差を大幅に緩和でき、これにより編集点での異音発生を防止できる。
【００５４】
また、本発明によれば、第１のメモリに格納された、フレームの途中で不連続となった画像データを、新たな情報信号で書き換え、また、この画像データがメモリから読み出されて第１の圧縮処理回路に入力され、圧縮動作の一時停止時と同じフレームシーケンスを維持した状態で画像データの圧縮符号化を行えるようにしたため、入力チャンネルが切り換えられるように画像データが不連続となっても、圧縮符号化データのフレームシーケンスを変えることなく、その後の画像データを圧縮符号化できる。
【００５５】
また、本発明によれば、エンコードポーズボタンをオンすることで、エンコードを一時停止でき、その後エンコードポーズボタンをオフ（解除）することで、エンコードを再開できるので、エンコードされる画像データ及び音声データをエンコード前に編集された信号又は編集ポイントが指定された信号としなくてもよく、よって、作業性を向上できると共に、予め編集された素材を記憶するための装置も必要とせず、装置を安価に構成できる。
【図面の簡単な説明】
【図１】本発明の一実施の形態のブロック図である。
【図２】図１中の不連続検出／制御回路内の判定回路の一実施の形態の回路図である。
【図３】図１の動作説明用タイミングチャートである。
【図４】ＧＯＰの構造の説明図である。
【符号の説明】
１０  画像信号入力端子
１１  同期分離回路（検出手段）
１３、２４  Ａ／Ｄ変換器
１４  ＰＬＬ回路（検出手段）
１５  不連続検出／制御回路（検出手段、制御手段）
１６、２６  アドレスラッチ（第２の記憶手段）
１７、２７  アドレスラッチ（第１の記憶手段）
１８、２８  アドレス生成回路
１９、２９  メモリ
２０、３０  圧縮処理回路
２１、３１  メモリ
２２  音声信号入力端子
２５  クロスフェーダ（混合手段）
３６  カウンタ
３８  Ｄ型フリップフロップ
【図１】
0003555746.tif 000002
【図２】
0003555746.tif 000003
【図４】
0003555746.tif 000004
【図３】
0003555746.tif 000005